(57)【要約】  フェムトセル用の搬送波は、フェムトセルで利用できる搬送波の集合から選択される。フェムトノードはこの集合に関して優先順位を判定し、各搬送波の受信信号強度（ＲＳＳ）を測定する。フェムトノードは、各搬送波のＲＳＳに基づいてこの集合から最小干渉搬送波を判定し、次に、最小干渉搬送波のＲＳＳをこの集合の中の他の搬送波のＲＳＳと比較することによりこのフェムトセルのため選択された搬送波を規定する。選択された搬送波は、所定のマージンによってオフセットされた最小干渉搬送波のＲＳＳと同等又はそれ以上のＲＳＳを有することがある。比較は優先順位で実行されることがある。フェムトノードで利用できる集合は、フェムトセルとマクロセルの組み合わせで利用できるすべての搬送波の部分集合でもよく、フェムトセルで利用できる１つ以上の搬送波は同様にマクロセルで利用できる搬送波でもよい。
2011523271.tif 000002
【特許請求の範囲】
【請求項１】
フェムトノードのための搬送波選択の方法であって、
前記フェムトノードで利用できるダウンリンク搬送波の集合に対し優先順位を判定することと、
前記ダウンリンク搬送波の集合のうちの各搬送波について受信信号強度を測定することと、
前記ダウンリンク搬送波の集合のうちの各搬送波についての前記受信信号強度に応じて前記ダウンリンク搬送波の集合から最小干渉搬送波を判定することと、
前記最小干渉搬送波の前記受信強度信号と前記ダウンリンク搬送波の集合のうちの少なくとも１つの搬送波の前記受信信号強度との比較に応じて前記ダウンリンク搬送波の集合から前記フェムトノードのための選択済み搬送波を定義することと、
を備える方法。
【請求項２】
フェムトノードで利用できる前記ダウンリンク搬送波の集合は、フェムトノードとマクロノードとの組み合わせで利用できるすべてのダウンリンク搬送波の集合の部分集合である、請求項１に記載の方法。
【請求項３】
前記フェムトノードで利用できる前記ダウンリンク搬送波の集合のうちの少なくとも１つは、また前記マクロノードで利用できる搬送波である、請求項２に記載の方法。
【請求項４】
前記優先順位を判定することと、前記受信信号強度を測定することと、前記最小干渉搬送波を判定することと、前記フェムトノードのための前記選択済み搬送波を定義することとのうちの少なくとも１つを繰り返すことをさらに備える、請求項１に記載の方法。
【請求項５】
前記フェムトノードのための前記選択済み搬送波を定義することは、
前記ダウンリンク搬送波の集合のうちの現在搬送波についての前記受信強度信号を所定のマージンによってオフセットされた前記最小干渉搬送波の前記受信信号強度と比較することと、
前記現在搬送波の前記受信信号強度が所定のマージンによってオフセットされた前記最小干渉搬送波の前記受信信号強度と同等又はそれ以下である場合、前記現在搬送波を選択することと、
前記現在搬送波の前記受信信号強度が所定のマージンによってオフセットされた前記最小干渉搬送波の前記受信信号強度より大きい場合、前記ダウンリンク搬送波の集合のうちの次の搬送波に対し前記比較することおよび前記選択することを繰り返すことと、
をさらに備える、請求項１に記載の方法。
【請求項６】
前記現在搬送波についての前記受信信号強度を比較することと、前記現在搬送波を選択することと、前記次の搬送波に対し前記比較することおよび選択することを繰り返すこととは、最上位優先から最下位優先まで前記ダウンリンク搬送波の集合に対する前記優先順位で実行される、請求項５に記載の方法。
【請求項７】
前記所定のマージンは、所定のマージンの集合を備え、前記集合のうちの各所定のマージンが、前記ダウンリンク搬送波の集合のうちの搬送波に対応する、請求項５に記載の方法。
【請求項８】
アップリンク搬送波の集合の干渉特性を判定することをさらに備え、
現在アップリンク搬送波が前記現在搬送波と関連付けられ、
前記現在搬送波を選択することは、
前記現在アップリンク搬送波の前記干渉特性が、前記現在アップリンク搬送波が隣接するフェムトノードのアップリンク搬送波と干渉することを指定する場合、近傍への干渉を判定することと、
前記近傍への干渉がアップリンク閾値未満である場合、前記現在搬送波を選択することと、をさらに備え、
前記次の搬送波に対し前記比較することおよび前記選択することを繰り返すことは、前記近傍への干渉が前記アップリンク閾値と同等又はそれ以上である場合、前記繰り返すことを実行することをさらに備える、
請求項５に記載の方法。
【請求項９】
アップリンク搬送波の集合の干渉特性を判定することをさらに備え、
現在アップリンク搬送波が前記現在搬送波と関連付けられ、
前記現在搬送波を選択することは、
隣接するフェムトノードの前記アップリンク搬送波が前記現在アップリンク搬送波と干渉する場合、近傍からの干渉を判定することと、
前記近傍からの干渉がアップリンク閾値未満である場合、前記現在搬送波を選択することと、をさらに備え、
前記次の搬送波に対し前記比較することおよび前記選択することを繰り返すことは、前記近傍からの干渉が前記アップリンク閾値と同等又はそれ以上である場合、前記繰り返すことを実行することをさらに備える、
請求項５に記載の方法。
【請求項１０】
フェムトノードで利用できるダウンリンク搬送波の集合を特定し、前記ダウンリンク搬送波の集合に対し優先順位を判定するフェムト搬送波判定器と、
前記ダウンリンク搬送波の集合のうちの各搬送波について受信信号強度を測定する信号強度判定器と、
前記ダウンリンク搬送波の集合のうちの各搬送波についての前記受信信号強度に応じて前記ダウンリンク搬送波の集合から最小干渉搬送波を特定する干渉モニタと、
前記最小干渉搬送波の前記受信信号強度と前記ダウンリンク搬送波の集合のうちの少なくとも１つの搬送波の前記受信信号強度との比較に応じて前記ダウンリンク搬送波の集合から前記フェムトノードのための選択済み搬送波を定義するフェムト搬送波選択器と、
を備えるフェムトノード。
【請求項１１】
前記フェムト搬送波選択器は、
前記ダウンリンク搬送波の集合のうちの現在搬送波についての前記受信信号強度を所定のマージンによってオフセットされた前記最小干渉搬送波の前記受信信号強度と比較し、
前記現在搬送波の前記受信強度信号が所定のマージンによってオフセットされた前記最小干渉搬送波の前記受信信号強度と同等又はそれ以下である場合、前記前記現在搬送波を選択し、
前記現在搬送波の前記受信信号強度が所定のマージンによってオフセットされた前記最小干渉搬送波の前記受信信号強度より大きい場合、前記ダウンリンク搬送波の集合のうちの次の搬送波に対し前記比較することおよび選択することを繰り返す、請求項１０に記載のフェムトノード。
【請求項１２】
前記フェムト搬送波選択器は、前記現在搬送波についての前記受信信号強度を比較し、前記現在搬送波を選択し、最上位優先から最下位優先まで前記ダウンリンク搬送波の集合に対する前記優先順位で前記次の搬送波に対し前記比較することおよび選択することを繰り返す、請求項１１に記載のフェムトノード。
【請求項１３】
前記所定のマージンは、所定のマージンの集合を備え、前記集合のうちの各所定のマージンが前記ダウンリンク搬送波の集合のうちの搬送波に対応する、請求項１１に記載のフェムトノード。
【請求項１４】
前記干渉モニタは、アップリンク搬送波の集合の干渉特性をさらに判定し、
現在アップリンク搬送波が前記現在搬送波と関連付けられ、
前記フェムト搬送波選択器はさらに、
前記現在アップリンク搬送波の前記干渉特性が、前記現在アップリンク搬送波が隣接するフェムトノードのアップリンク搬送波と干渉することを指定する場合、近傍への干渉を判定し、
前記近傍への干渉がアップリンク閾値未満である場合、前記現在搬送波を選択し、
前記次の搬送波に対し前記比較することおよび前記選択することを繰り返すことは、前記近傍への干渉が前記アップリンク閾値と同等又はそれ以上である場合、前記繰り返すことをさらに実行する、
請求項１１に記載のフェムトノード。
【請求項１５】
前記干渉モニタは、アップリンク搬送波の集合の干渉特性をさらに判定し、
現在アップリンク搬送波が前記現在搬送波と関連付けられ、
前記フェムト搬送波選択器はさらに、
隣接するフェムトノードの前記アップリンク搬送波が前記現在アップリンク搬送波と干渉する場合、近傍からの干渉を判定し、
前記近傍からの干渉がアップリンク閾値未満である場合、前記現在搬送波を選択し、
前記次の搬送波に対し前記比較することおよび前記選択することを繰り返すことは、前記近傍からの干渉が前記アップリンク閾値以上である場合、前記繰り返すことを実行する、
請求項１１に記載のフェムトノード。
【請求項１６】
メモリと、
前記メモリに動作的に連結され、
フェムトノードで利用できるダウンリンク搬送波の集合を特定し、前記ダウンリンク搬送波の集合に対し優先順位を判定することと、
前記ダウンリンク搬送波の集合のうちの各搬送波について受信信号強度を測定することと、
前記ダウンリンク搬送波の集合のうちの各搬送波についての前記受信信号強度に応じて前記ダウンリンク搬送波の集合から最小干渉搬送波を判定することと、
前記最小干渉搬送波の前記受信信号強度と前記ダウンリンク搬送波の集合のうちの少なくとも１つの搬送波の前記受信信号強度との比較に応じて前記ダウンリンク搬送波の集合から前記フェムトノードのための選択済み搬送波を定義することと、
のため構成されているプロセッサと、
を備えるフェムトノード。
【請求項１７】
前記フェムトノードのための前記選択済み搬送波を定義することは、
前記ダウンリンク搬送波の集合のうちの現在搬送波についての前記受信信号強度を所定のマージンによってオフセットされた前記最小干渉搬送波の前記受信信号強度と比較することと、
前記現在搬送波の前記受信信号強度が所定のマージンによってオフセットされた前記最小干渉搬送波の前記受信信号強度と同等又はそれ以下である場合、前記現在搬送波を選択することと、
前記現在搬送波の前記受信信号強度が所定のマージンによってオフセットされた前記最小干渉搬送波の前記受信信号強度より大きい場合、前記ダウンリンク搬送波の集合のうちの次の搬送波に対し前記比較することおよび前記選択することを繰り返すことと、
をさらに備える、請求項１６に記載の方法。
【請求項１８】
フェムトノードで利用できるダウンリンク搬送波の集合に対し優先順位を判定する手段と、
前記ダウンリンク搬送波の集合のうちの各搬送波について受信信号強度を測定する手段と、
前記ダウンリンク搬送波の集合のうちの各搬送波についての前記受信信号強度に応じて前記ダウンリンク搬送波の集合から最小干渉搬送波を判定する手段と、
前記最小干渉搬送波の前記受信信号強度と前記ダウンリンク搬送波の集合のうちの少なくとも１つの搬送波の前記受信信号強度との比較に応じて前記ダウンリンク搬送波の集合から前記フェムトノードのための選択済み搬送波を定義する手段と、
を備えるフェムトノード。
【請求項１９】
フェムトノードで利用できる前記ダウンリンク搬送波の集合は、フェムトノードとマクロノードとの組み合わせで利用できるすべてのダウンリンク搬送波の集合の部分集合である、請求項１８に記載のフェムトノード。
【請求項２０】
前記フェムトノードで利用できる前記ダウンリンク搬送波の集合のうちの少なくとも１つは、また前記マクロノードで利用できる搬送波である、請求項１９に記載のフェムトノード。
【請求項２１】
前記フェムトノードのための前記選択済み搬送波を定義する手段は、
前記ダウンリンク搬送波の集合のうちの現在搬送波についての前記受信信号強度を所定のマージンによってオフセットされた前記最小干渉搬送波の前記受信信号強度と比較する手段と、
前記現在搬送波の前記受信信号強度が所定のマージンによってオフセットされた前記最小干渉搬送波の前記受信信号強度と同等又はそれ以下である場合、前記現在搬送波を選択する手段と、
前記現在搬送波の前記受信信号強度が所定のマージンによってオフセットされた前記最小干渉搬送波の前記受信信号強度より大きい場合、前記ダウンリンク搬送波の集合のうちの次の搬送波に対し前記比較することおよび選択することを繰り返す手段と、
をさらに備える、請求項１８に記載のフェムトノード。
【請求項２２】
前記所定のマージンは、所定のマージンの集合を備え、前記集合のうちの各所定のマージンが、前記ダウンリンク搬送波の集合のうちの搬送波に対応する、請求項２１に記載のフェムトノード。
【請求項２３】
アップリンク搬送波の集合の干渉特性を判定する手段をさらに備え、
現在アップリンク搬送波が前記現在搬送波と関連付けられ、
前記現在搬送波を選択する手段は、
前記現在アップリンク搬送波の前記干渉特性が、前記現在アップリンク搬送波が隣接するフェムトノードのアップリンク搬送波と干渉することを指定する場合、近傍への干渉を判定する手段と、
前記近傍への干渉がアップリンク閾値未満である場合、前記現在搬送波を選択する手段と、
をさらに備え、
前記次の搬送波に対し前記比較することおよび選択することを繰り返す手段は、前記近傍への干渉が前記アップリンク閾値と又はそれ以上である場合、前記繰り返すことを実行することをさらに備える、
請求項２１に記載のフェムトノード。
【請求項２４】
アップリンク搬送波の集合の干渉特性を判定する手段をさらに備え、
現在アップリンク搬送波が前記現在搬送波と関連付けられ、
前記現在搬送波を選択する手段は、
隣接するフェムトノードの前記アップリンク搬送波の前記干渉特性が前記現在アップリンク搬送波と干渉する場合、近傍からの干渉を判定する手段と、
前記近傍からの干渉がアップリンク閾値未満である場合、前記現在搬送波を選択する手段と、
をさらに備え、
前記次の搬送波に対し前記比較することおよび選択することを繰り返す手段は、前記近傍からの干渉が前記アップリンク閾値と同等又はそれ以上である場合、前記繰り返すことを実行することをさらに備える、
請求項２１に記載のフェムトノード。
【請求項２５】
フェムトノードで利用できるダウンリンク搬送波の集合に対し優先順位を判定することと、
前記ダウンリンク搬送波の集合のうちの各搬送波について受信信号強度を測定することと、
前記ダウンリンク搬送波の集合のうちの各搬送波についての前記受信信号強度に応じて前記ダウンリンク搬送波の集合から最小干渉搬送波を判定することと、
前記最小干渉搬送波の前記受信信号強度と前記ダウンリンク搬送波の集合のうちの少なくとも１つの搬送波の前記受信信号強度との比較に応じて前記ダウンリンク搬送波の集合から前記フェムトノードのための選択済み搬送波を定義することと、
をコンピュータに行わせるコードを備えるコンピュータ読み取り可能な媒体を備えるコンピュータ・プログラム・プロダクト。
【請求項２６】
前記フェムトノードのための選択済み搬送波を定義することを前記コンピュータに行わせる前記コードが、
前記ダウンリンク搬送波の集合のうちの現在搬送波についての前記受信信号強度を所定のマージンによってオフセットされた前記最小干渉搬送波の前記受信信号強度と比較することと、
前記現在搬送波の前記受信強度信号が所定のマージンによってオフセットされた前記最小干渉搬送波の前記受信信号強度以下である場合、前記前記現在搬送波を選択することと、
前記現在搬送波の前記受信信号強度が所定のマージンによってオフセットされた前記最小干渉搬送波の前記受信信号強度より大きい場合、前記ダウンリンク搬送波の集合のうちの次の搬送波に対し前記比較することおよび選択することを繰り返すことと、
を前記コンピュータにさらに行わせる、請求項２５に記載のコンピュータ・プログラム・プロダクト。
【発明の詳細な説明】
【優先権の主張】
【０００１】
［３５Ｕ．Ｓ．Ｃ．§１１９の下の優先権の主張］
本願は、２００８年５月１３日に出願され、代理人文書番号０８１５９０Ｐ１が割り当てられ、参照によって本明細書に組み入れられる本願と同一出願人による米国仮特許出願第６１／０５２，９０５号の優先権の利益を主張する。
【技術分野】
【０００２】
本願は、大まかに、ワイヤレス通信に係わり、より具体的には、限定されることはないが、通信性能の改善に関する。
【背景技術】
【０００３】
ワイヤレス通信システムは、様々なタイプの通信（たとえば、音声、データ、マルチメディアサービスなど）を多くのユーザに提供するために広く配備されている。高レートかつマルチメディアデータサービスに対する要求が急速に増大しているので、性能が強化された効率的かつロバストな通信システムを実施するには課題がある。
【０００４】
従来のモバイルフォンネットワーク（たとえば、マクロ・セルラ・ネットワーク）の基地局を補完するため、スモールカバレッジ基地局は、例えばユーザの家屋に配備されている。このようなスモールカバレッジ基地局は、一般に、アクセスポイント基地局、ホームＮｏｄｅＢ、またはフェムトセルとして知られ、よりロバストな屋内ワイヤレスカバレッジをモバイルユニットに提供するために使用されることがある。典型的に、このようなスモールカバレッジ基地局は、デジタル加入者線（ＤＳＬ）ルータまたはケーブルモデムを介してインターネットおよびモバイル運営者ネットワークに接続されている。
【０００５】
典型的なマクロセルラ配備では、ＲＦカバレッジは、マクロ基地局間のカバレッジを最適化するためセルラネットワーク運営者によって計画され管理される。フェムト基地局は、これに反して、加入者によって私的に設置され、特別なやり方で配備されることがある。その結果、フェムトセルは、マクロセルのアップリック（ＵＬ）およびダウンリンク（ＤＬ）の両方に干渉を引き起こすことがある。たとえば、住宅の窓付近に設置されたフェムト基地局は、フェムトセルによるサービスを受けない家屋の外側にあるアクセス端末に重大なダウンリンク干渉を引き起こすことがある。同様に、アップリンクでは、フェムトセルによるサービスを受けるホームアクセス端末は、マクロセル基地局（たとえば、マクロＮｏｄｅＢ）で干渉を引き起こすことがある。
【０００６】
フェムトセルは、無計画な配備の結果として、互いに干渉したり、マクロセルと干渉したりすることもある。たとえば、集合住宅では、２戸の住宅を仕切る壁付近に設置されたフェムト基地局は、隣接住宅のフェムト基地局に重大な干渉を引き起こすことがある。ここで、ホームアクセス端末によって認識される最有力のフェムト基地局（例えば、アクセス端末によって受信されるＲＦ信号強度の点で最有力）は、必ずしも、そのフェムト基地局によって実施される制限的な関連性ポリシーによるアクセス端末のためのサービス中の基地局であるとは限らない。
【０００７】
よって、干渉問題は、フェムト基地局の無線周波数（ＲＦ）カバレッジがモバイル運営者によって最適化されず、このような基地局の配備が特別である通信システムにおいて起こることがある。その結果、ワイヤレスネットワークのための改善された干渉管理の必要性がある。
【図面の簡単な説明】
【０００８】
【図１】図１は、マクロカバレッジおよびより小規模のカバレッジを含む通信システムのいくつかのサンプル態様の簡易図である。
【図２】図２は、様々な開示された実施形態および態様が実施される、ある程度の数のユーザをサポートするために構成されたワイヤレス通信システムの別の図示である。
【図３】図３は、ワイヤレス通信のためのカバレッジエリアを示す簡易図である。
【図４】図４は、隣接するフェムトセルを含む通信システムのいくつかのサンプル態様の簡易図である。
【図５】図５は、フェムトノードを含むワイヤレス通信システムの簡易図である。
【図６】図６は、ノード間の通信を容易にするため利用されることがあるいくつかのサンプルコンポーネントを表す。
【図７】図７は、フェムトノードにおける自律的な搬送波選択をサポートするフェムトノードのいくつかのサンプル態様の簡易ブロック図である。
【図８】図８は、フェムトノードのための搬送波を自律的に選択するプロセスの簡易フロー図である。
【図９】図９は、ダウンリンク搬送波に関連付けられたアップリンク搬送波の特性を評価するためのプロセスの簡易フロー図である。
【図１０】図１０は、本明細書中で教示されているようにフェムトノードのための搬送波を自律的に選択するために構成された装置のいくつかのサンプル態様の簡易ブロック図である。
【詳細な説明】
【０００９】
慣例により、図面に図示されている様々な特徴は正しい縮尺で描かれていないことがある。したがって、様々な特徴の寸法は明確にするため任意に拡大縮小されることがある。さらに、いくつかの図面は明確にするため簡易化されることがある。よって、図面は所定の装置（たとえば、機器）または方法のコンポーネントのすべてを表すものではない。さらに、類似した参照番号は明細書および図面を通じて類似した特徴を指定するため使用されることがある。
【００１０】
「例示的」という用語は、本明細書中では、「実施例、事例または実例としての機能を果たす」ことを表すため使用される。本明細書中で「例示的」として記載されている実施形態は、必ずしも他の実施形態より好ましいまたは有利であると解釈されない。
【００１１】
添付図面と併せて後述される詳細な説明は、本発明の例示的な実施形態の説明として意図され、本発明が実施され得る唯一の実施形態を表すことを意図されていない。本説明を通じて使用される用語「例示的」は、「実施例、事例または実例としての機能を果たす」ことを表し、必ずしも他の例示的な実施形態より好ましいまたは有利であると解釈されるべきでない。詳細な説明は、発明の例示的な実施形態の理解を深めることを目的として特定の細部を含む。発明の例示的な実施形態がこれらの特定の細部を用いることなく実施されてもよいことは当業者に明白である。いくつかの事例では、周知の構造および機器は、本明細書中で提案されている例示的な実施形態の新規性を曖昧にすることを避けるためにブロック図形式で示されている。
【００１２】
開示の様々な実施形態は後述される。本明細書中の教示が多種多様の形式で具現化されることがあり、本明細書中で開示された何らかの特定の構造、機能または両方が単なる代表例であることは明白である。本明細書中の教示に基づいて、当業者は、本明細書中に開示されている実施形態がいずれかの他の実施形態とは独立に実施されることができ、２つ以上の実施形態が様々な形で実施されることがあることを認める。たとえば、本明細書中に記載された実施形態をいくつでも使用して装置が実施されることがあり、または、このような方法が実施されることがあり、本明細書中に記載された１つ以上の実施形態に加えて、または、１つ以上の実施形態以外に他の構造、機能、または、構造および機能を使用して、方法が実施され得る。さらに、このような装置が実施されることがある。
【００１３】
本明細書中の教示は、様々なタイプの通信システムおよび／またはシステムコンポーネントに組み込まれることがある。いくつかの態様では、本明細書中の教示は、利用可能なシステム資源を共有することにより（たとえば、帯域幅、送信電力、符号化方式、インターリーブ方式などのうちの１つ以上を指定することにより）、複数のユーザとの通信をサポートする能力がある多元接続システムで利用されることがある。たとえば、本明細書中の教示は、符号分割多元接続（ＣＤＭＡ）システム、マルチキャリアＣＤＭＡ（ＭＣＣＤＭＡ）、広帯域ＣＤＭＡ（Ｗ−ＣＤＭＡ）、高速パケット接続（ＨＳＰＡ、ＨＳＰＡ＋）システム、高速ダウンリンクパケット接続（ＨＳＤＰＡ）システム、時分割多元接続（ＴＤＭＡ）システム、周波数分割多元接続（ＦＤＭＡ）システム、単一搬送波ＦＤＭＡ（ＳＣ−ＦＤＭＡ）システム、直交周波数分割多元接続（ＯＦＤＭＡ）システム、または、他の多元接続技術のうちのいずれか１つまたは組み合わせに適用されることがある。本明細書中の教示を利用するワイヤレス通信システムは、ＩＳ−９５、ｃｄｍａ２０００、ＩＳ−８５６、Ｗ−ＣＤＭＡ、ＴＤＳＣＤＭＡ、および、他の規格のうちの１つ以上の規格を実施するため設計されることがある。ＣＤＭＡネットワークは、ユニバーサル地上波無線接続（Universal Terrestrial Radio Access：ＵＴＲＡ）、ｃｄｍａ２０００、または、何らかの他のテクノロジのような無線テクノロジを実施することがある。ＵＴＲＡは、Ｗ−ＣＤＭＡおよび低チップレート（ＬＣＲ）を含む。ｃｄｍａ２０００テクノロジは、ＩＳ−２０００規格、ＩＳ−９５規格およびＩＳ−８５６規格を含む。ＴＤＭＡネットワークは、移動体通信用グローバルシステム（Global System for Mobile Communications：ＧＳＭ（登録商標））のような無線テクノロジを実施する。ＯＦＤＭＡネットワークは、進化型ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭ（登録商標）などのような無線テクノロジを実施する。ＵＴＲＡ、Ｅ−ＵＴＲＡおよびＧＳＭは、ユニバーサル移動体通信システム（Universal Mobile Telecommunication System：ＵＭＴＳ）の一部である。本明細書中の教示は、３ＧＰＰ長期的高度化システム（ＬＴＥ）システム、ウルトラ・モバイル・ブロードバンド（ＵＭＢ）システム、および、他のタイプのシステムで実施されることがある。ＬＴＥは、Ｅ−ＵＴＲＡを使用するＵＭＴＳの公表である。
【００１４】
開示のいくつかの実施形態は、３ＧＰＰの用語を使用して説明されることがあるが、本明細書中の教示は３ＧＰＰ（Ｒｅ１９９、Ｒｅ１５、Ｒｅ１６、Ｒｅ１７）テクノロジと３ＧＰＰ２（ＩｘＲＴＴ、１ｘＥＶ−ＤＯ  ＲｅｌＯ、ＲｅｖＡ、ＲｅｖＢ）テクノロジおよび他のテクノロジとに適用されることがあることが理解されるべきである。
【００１５】
図１は、マクロスケールカバレッジ（たとえば、一般にマクロ・セル・ネットワークと称される３Ｇネットワークのような広域セルラネットワーク）と、より小規模なカバレッジ（たとえば、住宅または建物に基づくネットワーク環境）とを含むネットワークシステム１００を示す。アクセス端末１０２Ａのようなノードがネットワークの中を進むと、アクセス端末１０２Ａは、マクロ・カバレッジ・エリア１０６によって表されるようなマクロカバレッジを提供するマクロアクセスノード１０４（本明細書中でマクロノードと称されることもある）によるサービスを所定の場所で受けることがあるが、同時にアクセス端末１０２Ａは、小規模カバレッジエリア１１０によって表されるようなより小規模なカバレッジを提供する小規模アクセスノード１０８（本明細書中で小規模ノードと称されることもある）によるサービスを他の場所で受けることがある。いくつかの態様では、小規模ノード１０８は、増分的な能力増加、建物内カバレッジ、および、異なるサービス（たとえば、よりロバストなユーザ体験のためのサービス）を提供するため使用されることがある。
【００１６】
詳細に後述されるように、小規模アクセスノード１０８は、所定のサービスを所定のノード（たとえば、屋内アクセス端末１０２Ｂ）に提供しないことがあるという点で制限されることがある。その結果として、カバレッジホールがマクロ・カバレッジ・エリア１０６に形成されることがある。
【００１７】
カバレッジホールのサイズは、マクロアクセスノード１０４および小規模ノード１０８が同じ周波数搬送波で動作するかどうかに依存することがある。たとえば、ノード１０４および１０８が（たとえば、同じ周波数搬送波を使用する）共通のチャネルにあるとき、カバレッジホールは小規模カバレッジエリア１１０に厳密に一致することがある。よって、この場合、アクセス端末１０２Ａは、（たとえば、アクセス端末１０２Ｂの想像図によって示されているような）小規模カバレッジエリア１１０の内部にあるとき、マクロカバレッジを失うことがある。
【００１８】
小規模ノード１０８は、たとえば、フェムトノードまたはピコノードであろう。フェムトノードは、たとえば、家またはアパートのような、制限されたカバレッジエリアを有するアクセスノードであろう。マクロエリアより狭く、フェムトエリアより広いエリアにカバレッジを提供するノードは、（たとえば、商業ビルの内部にカバレッジを提供する）ピコノードと称されることがある。本明細書中の教示は、様々なタイプのノードおよびシステムを用いて実施されることがあると認められるはずである。たとえば、ピコノード、または、何らかの他のタイプのノードは、異なる（たとえば、より大型の）カバレッジエリアのためのフェムトノードと同じまたは類似した機能を提供することがある。よって、より十分に後述されるように、フェムトノードと同様に、ピコノードは制限されることがあり、ピコノードは１つ以上のホームアクセス端末等々と関連付けられることがある。
【００１９】
ノード１０４および１０８が（たとえば、異なる周波数搬送波を使用する）隣接するチャネルにあるとき、小規模ノード１０８からの隣接チャネル干渉の結果として、より小型のカバレッジホール１１２がマクロ・カバレッジ・エリア１０４に作成されることがある。よって、アクセス端末１０２Ａが隣接チャネルで動作しているとき、アクセス端末１０２Ａは、小規模ノード１０８により接近した場所で（たとえば、より小型のカバレッジホール１１２のすぐに外側で）マクロカバレッジを受信することがある。
【００２０】
システム設計パラメータに依存して、共通のチャネル・カバレッジ・ホールは比較的大きい。たとえば、小規模ノード１０８の送信電力が０ｄＢｍであるとき、自由空間伝搬損失と、小規模ノード１０８とアクセス端末１０２Ｂとの間に仕切りが存在しない最悪のケースとを想定して、小規模ノード１０８が少なくとも同じ熱雑音フロアである半径はおよそ４０メートル程度である。
【００２１】
よって、マクロ・カバレッジ・エリア１０６における機能停止の最小化と、指定されたより小規模な環境内の適切なカバレッジ（たとえば、家の中のフェムトノード１０８のカバレッジ）の維持との間にはこれだけトレードオフが存在する。たとえば、制限されたフェムトノード１０８がマクロ・カバレッジ・エリア１０６のエッジにあるとき、ビジットアクセス端末（visiting access terminal）がフェムトノード１０８に接近すると、ビジットアクセス端末（visiting access terminal）は、マクロカバレッジを失い、呼を停止する可能性がある。このような場合、マクロ・セルラ・ネットワークのための１つの解決策は、ビジタアクセス端末（visitor access terminal）を（たとえば、フェムトノードからの隣接するチャネル干渉が小さい）別の搬送波へ移すことである。しかし、各運営者が利用できるスペクトルは制限されているので、別個の搬送波周波数の使用は常に現実的というわけではない。その結果、他の運営者と関連付けられたビジタアクセス端末（visitor access terminal）は、この搬送波に関して制限されたフェムトノード１０８によって作成されたカバレッジホールによる損害を受けることがある。
【００２２】
図２は、様々な開示された実施形態および態様が実施されることがある、ある程度の数のユーザをサポートするため構成されたワイヤレス通信システム１００の別の表現を示している。一例として、図１Ｂに示されているように、ワイヤレス通信システム１００は、たとえば、各セルが（ＡＰ  １０４Ａ〜１０４Ｇのような）対応するアクセスポイント（ＡＰ）１０４によるサービスを受けているマクロセル１０２Ａ〜１０２Ｇのような複数のセル１２０のための通信を提供する。各セルは１つ以上のセクタにさらに分割されることがある。代わりにユーザ設備（ＵＥ）と称されることもある様々なアクセス端末（ＡＴ）１０２（たとえば、ＡＴ  １０２Ａ〜１０２Ｋ）は、システム全体に分散している。各ＡＴ  １０２は、たとえば、ＡＴがアクティブ状態であるかどうか、および、ソフトハンドオフ状態にあるかどうかに依存して、所定の時点に順方向リンク（ＦＬ）および／または逆方向リンク（ＲＬ）上で１台以上のＡＰ  １０４と通信することがある。ワイヤレス通信システム１００は、広い地理的領域にサービスを提供することがあり、たとえば、マクロセル１０２Ａ〜１０２Ｇは近傍にある数ブロックを対象にすることがある。
【００２３】
様々なアプリケーションにおいて、他の用語がマクロノード１０４、フェムトノード１０８またはピコノードを指すため使用されることがある。たとえば、マクロノード１０４は、アクセスノード、基地局、アクセスポイント、ｅＮｏｄｅＢ、マクロセル、マクロＮｏｄｅＢ（ＭＮＢ）などのように構成されるか、または、称されることがある。同様に、フェムトノード１０８は、ホームＮｏｄｅＢ（ＨＮＢ）、ホームｅＮｏｄｅＢ、アクセスポイント基地局、フェムトセルなどのように構成されるか、または、称されることがある。同様に、マクロノード、フェムトノード、または、ピコノードと関連付けられたセルは、それぞれ、マクロセル、フェムトセル、または、ピコセルと称されることがある。
【００２４】
前述の通り、フェムトノード１０８は、いくつかの態様で制限されることがある。たとえば、所定のフェムトノード１０８は、制限されたアクセス端末１０６の集合だけにサービスを提供することがある。よって、いわゆる制限された（または閉鎖的な（closed））関連性をもつ配備では、所定のアクセス端末１０６は、マクロ・セル・モバイル・ネットワークと制限されたフェムトノード１０８（たとえば、対応するユーザ住宅内にあるフェムトノード）の集合とによるサービスを受けることがある。
【００２５】
制限されたフェムトノード１０８（クローズド・サブスクライバ・グループ・ホームＮｏｄｅＢと称されることもある）と関連した制限供給されたアクセス端末１０６のセットは、必要に応じて一時的または永続的に拡張されることがある。いくつかの態様では、クローズド・サブスクライバ・グループ（ＣＳＧ）は、アクセス端末の共通アクセス制御リストを共有するアクセスノード（たとえば、フェムトノード）の集合として定義されることがある。いくつかの実施では、領域内の全フェムトノード（または、全ての制限されたフェムトノード）が、フェムトチャネルと称されることがある指定されたチャネル上で動作することがある。
【００２６】
様々な関係が、制限されたフェムトノードと所定のアクセス端末との間に定義されることがある。たとえば、アクセス端末の観点から、オープン・フェムトノードは、関連性が制限されていないフェムトノードを指すことがある。制限されたフェムトノードは何らかの形で制限されている（たとえば、関連性および／または登録に関して制限されている）フェムトノードを指すことがある。ホーム・フェムトノードは、アクセス端末がアクセスし作動することを許可されているフェムトノードを指すことがある。ゲスト・フェムトノードは、アクセス端末がアクセスまたは作動することを一時的に許可されているフェムトノードを指すことがある。エイリアン・フェムトノードは、アクセス端末が、たとえば、おそらく緊急事態（たとえば、９１１呼）を除いて、アクセスまたは作動することを許可されないフェムトノードを指すことがある。
【００２７】
制限されたフェムトノードの観点から、ホームアクセス端末（またはホームユーザ設備、「ＨＵＥ」）は、制限されたフェムトノードにアクセアスすることを許可されるアクセス端末を指すことがある。ゲストアクセス端末は、制限されたフェムトノードへの一時的なアクセスを伴うアクセス端末を指すことがある。エイリアンアクセス端末は、おそらく９１１呼のような緊急事態を除いて、制限されたフェムトノードへのアクセスが許可されていないアクセス端末を指すことがある。よって、ある態様では、エイリアンアクセス端末は、制限されたフェムトノードに登録する資格または許可がないものとして定義される。制限されたフェムトセルによって現在制限されている（たとえば、アクセス拒絶されている）アクセス端末は、本明細書中では、ビジタアクセス端末と称されることがある。ビジタアクセス端末は、よって、サービスが許可されていないときにエイリアンアクセス端末に対応し、サービスが一時的に許可されているときにゲストアクセス端末に対応する。
【００２８】
図３は、数個のトラッキングエリア３０２（または、ルーティングエリアもしくはロケーションエリア）が定義されるネットワークのカバレッジマップ３００の実施例を示す。特に、トラッキングエリア３０２Ａ、３０２Ｂおよび３０２Ｃと関連付けられたカバレッジのエリアは図３中の太い線によって描かれている。
【００２９】
システムは、たとえば、マクロセル３０４Ａおよび３０４Ｂのような（六角形によって表現された）複数のセル３０４を介して、対応するアクセスノード３０６（たとえば、アクセスノード３０６Ａ〜３０６Ｃ）によるサービスを受ける各セルとのワイヤレス通信を提供する。図３に示されているように、アクセス端末３０８（たとえば、アクセス端末３０８Ａおよび３０８Ｂ）は、所定の時点でネットワーク全体の様々な場所に分散している。各アクセス端末３０８は、アクセス端末３０８がアクティブ状態であるかどうか、および、たとえば、ソフトハンドオフ状態にあるかどうかに依存して、所定の時点で順方向リンク（ＦＬ）および／または逆方向リンク（ＲＬ）上の１台以上のアクセスノード３０６と通信することがある。
【００３０】
トラッキングエリア３０２は、フェムト・カバレッジ・エリア３１０をさらに含む。本実施例では、フェムト・カバレッジ・エリア３１０（たとえば、フェムト・カバレッジ・エリア３１０Ａ〜３１０Ｃ）のそれぞれは、マクロ・カバレッジ・エリア３０４（たとえば、マクロ・カバレッジ・エリア３０４Ｂ）の範囲内に描かれている。しかし、フェムト・カバレッジ・エリア３１０は、マクロ・カバレッジ・エリア３０４の内部に完全に位置しないことがあると認められるはずである。実際には、多数のフェムト・カバレッジ・エリア３１０は所定のトラッキングエリア３０２またはマクロ・カバレッジ・エリア３０４を用いて定義されることがある。同様に、１つ以上のピコ・カバレッジ・エリア（図示せず）は、所定のトラッキングエリア３０２またはマクロ・カバレッジ・エリア３０４の内部に定義されることがある。図３の複雑さを軽減するため、少数のアクセスノード３０６、アクセス端末３０８、および、フェムトノード７１０だけが示されている。
【００３１】
図４は、フェムトノード４０２がアパート建物に配備されているネットワーク４００を示す。特に、本実施例では、フェムトノード４０２Ａはアパート１に配備され、フェムトノード４０２Ｂはアパート２に配備されている。フェムトノード４０２Ａは、アクセス端末４０４Ａのためのホームフェムトである。フェムトノード４０２Ｂはアクセス端末４０４Ｂのためのホームフェムトである。
【００３２】
図４に示されているように、フェムトノード４０２Ａおよび４０２Ｂが制限されている場合、各アクセス端末４０４（たとえば、４０４Ａおよび４０４Ｂ）は、これの関連付けられた（たとえば、ホーム）フェムトノード４０２によるサービスだけを受けることがある。しかし、ある種の場合、制限された関連性は、否定的な幾何学的状況と、フェムトノードの故障とをもたらすことがある。たとえば、図４では、フェムトノード４０２Ａは、フェムトノード４０２Ｂよりアクセス端末４０４Ｂに接近し、したがって、アクセス端末４０４Ｂにより強い信号を提供する。その結果、フェムトノード４０２Ａは、アクセス端末４０４Ｂでの受信と過度に干渉することがある。このような状況は、関連付けられたアクセス端末４０４が最初にシステムを捕捉しシステムに接続された状態を維持するフェムトノード４０２Ｂの周りでカバレッジ半径に影響を与えることがある。
【００３３】
図５は、１台以上のフェムトノードがネットワーク環境の内部に配備されている例示的な通信システム５００を示す。フェムトノード環境の接続は、この通信システム５００の範囲内で様々に確立されることがある。特に、システム５００は、比較的小規模なネットワーク環境（たとえば、１戸以上のユーザ住宅５３０）に設置された複数のフェムトノード５１０（たとえば、フェムトノード５１０Ａおよび５１０Ｂ）を含む。各フェムトノード５１０は、ＤＳＬルータ、ケーブルモデム、ワイヤレスリンク、または、他の接続手段（図示せず）を介して、広域ネットワーク５４０（たとえば、インターネット）およびモバイル運営者コアネットワーク５５０に連結されている。本明細書中で説明されているように、各フェムトノード５１０は、関連付けられたアクセス端末５２０（たとえば、アクセス端末５２０Ａ）と、選択的に、他のアクセス端末５２０（たとえば、アクセス端末５２０Ｂ）とに役立つように構成されることがある。換言すると、フェムトノード５１０へのアクセスは制限されることがあり、それによって、所定のアクセス端末５２０は、指定された（たとえば、ホーム）フェムトノード５１０の集合によるサービスを受けることがあるが、指定されていないフェムトノード５１０（たとえば、近傍のフェムトノード５１０）によるサービスを受けないことがある。アクセス端末５２０は、本明細書中ではユーザ設備５２０（ＵＥ）と称されることもある。フェムトノード５１０は、同様に本明細書中ではホームＮｏｄｅＢ（ＨＮＢ）と称されることがある。
【００３４】
フェムトノード５１０の所有者は、たとえば、モバイル運営者コアネットワーク５５０を通じて提供される３Ｇモバイルサービスのようなモバイルサービスに加入することがある。さらに、アクセス端末５２０は、マクロ環境および小規模（たとえば、住宅）ネットワーク環境の両方で動作する能力をもつことがある。換言すると、アクセス端末５２０の現在位置に依存して、アクセス端末５２０は、マクロ・セル・モバイル・ネットワーク５５０のアクセスノード５６０、または、フェムトノード５１０（たとえば、対応するユーザ住宅５３０の内部にあるフェムトノード５１０Ａおよび５１０Ｂ）の集合の中のいずれか１台によるサービスを受けることがある。たとえば、加入者が自分の家の外に居るとき、加入者は、標準的なマクロアクセスノード（たとえば、ノード５６０）によるサービスを受けることがあり、加入者が家に居るとき、加入者はフェムトノード（たとえば、ノード５１０Ａ）によるサービスを受けることがある。ここでは、フェムトノード５１０は既存のアクセス端末５２０との下位互換性があることが認められるはずである。
【００３５】
本明細書中で説明されている実施形態では、フェムトノード５１０の所有者は、たとえば、モバイル運営者コアネットワーク５５０を通じて提供される３Ｇモバイルサービスのようなモバイルサービスに加入し、ＵＥ  ５２０は、マクロセルラ環境および住宅小規模ネットワーク環境の両方で動作する能力がある。
【００３６】
ホーム・フェムトノードは、ＡＴまたはＵＥが動作することが許可される基地局である。ゲスト・フェムトノードは、ＡＴまたはＵＥが動作することが一時的に許可される基地局を指し，エイリアン・フェムトノードは、ＡＴまたはＵＥが動作することが許可されない基地局である。
【００３７】
フェムトノード５１０は、単一周波数で、または、代替的に、多重周波数で配備されることがある。特殊な構成に依存して、単一周波数、または、多重周波数のうちの１つ以上は、マクロノード（たとえば、ノード５６０）によって使用される１つ以上の周波数と重なり合うことがある。
【００３８】
アクセス端末５２０は、マクロネットワーク５５０またはフェムトノード５１０のいずれかと通信するが、両方と同時に通信しないように構成されることがある。さらに、フェムトノード５１０によるサービスを受けるアクセス端末５２０は、マクロネットワーク５５０とソフトハンドオーバ状態にないことがある。
【００３９】
いくつかの態様では、アクセス端末５２０は、この接続が可能であるときは常に好ましいフェムトノード（たとえば、アクセス端末５２０のホーム・フェムトノード）に接続するように構成されることがある。たとえば、アクセス端末５２０がユーザの住宅５３０内にあるときは常に、アクセス端末５２０はホーム・フェムトノード５１０だけと通信することが望ましいことがある。
【００４０】
いくつかの態様では、アクセス端末５２０が、マクロ・セルラ・ネットワーク５５０内部で動作するが、（たとえば、好ましいローミングリストの中に定義されているような）最も好ましいネットワークに存在していない場合、アクセス端末５２０は、より良いシステムが現在利用可能であるかどうかを判定するため利用可能なシステムの周期的なスキャニングと、それに続くこのような好ましいシステムとの関連付けの試みとを含むことがあるベター・システム・リセレクション（ＢＳＲ）を使用して、最も好ましいネットワーク（たとえば、好ましいフェムトノード５１０）をサーチし続けることがある。捕捉エントリを用いて、アクセス端末５２０は特定の帯域およびチャネルのためのサーチを制限することがある。たとえば、最も好ましいシステムのサーチは周期的に繰り返されることがある。好ましいフェムトノード５１０の発見時に、アクセス端末５２０は、これのカバレッジエリア内部で留まる好ましいフェムトノード５１０を選択することがある。
【００４１】
本明細書中の教示は、複数のワイヤレスアクセス端末のための通信を同時にサポートするワイヤレス多元接続通信システムで利用されることがある。前述の通り、各端末は、順方向リンクおよび逆方向リンク上の伝送によって１台以上の基地局と通信することがある。順方向リンク（またはダウンリンク）は、基地局から端末への通信リンクを指し、逆方向リンク（またはアップリンク）は端末から基地局への通信リンクを指す。この通信リンクは、１入力１出力システム、多入力多出力（ＭＩＭＯ）システム、または、他のタイプのシステムを介して確立されることがある。
【００４２】
ＭＩＭＯシステムは、データ通信のため複数の送信アンテナ（ＮＴ）および複数の受信アンテナ（ＮＲ）を利用する。ＮＴ個の送信アンテナおよびＮＲ個の受信アンテナによって形成されたＭＩＭＯチャネルは、ＮＳ≦ｍｉｎ｛ＮＴ，ＮＲ｝であり、空間チャネルと称されることもある複数の独立チャネル（ＮＳ）に分割されることがある。ＮＳ個の独立チャネルのそれぞれは次元に対応する。ＭＩＭＯシステムは、複数の送信アンテナおよび複数の受信アンテナによって作成された付加的な次元性が利用される場合、改善された性能（たとえば、より高いスループットおよび／またはより高い信頼性）を提供することがある。
【００４３】
ＭＩＭＯシステムは、時分割複信（ＴＤＤ）および周波数分割複信（ＦＤＤ）をサポートすることがある。ＴＤＤシステムでは、順方向リンク伝送および逆方向リンク伝送は同じ周波数領域にあるので、相反定理が逆方向リンクチャネルからの順方向リンクの推定を可能にする。これは、複数のアンテナがアクセスポイントで利用できるとき、アクセスポイントが順方向リンク上で送信ビーム形成利得を抽出することを可能にする。本明細書中の教示は、少なくとも１つの他のノードと通信する様々なコンポーネントを利用するノード（たとえば、機器）に組み込まれることがある。
【００４４】
図６は、ノード間の通信を容易にするため利用されることがある数個のサンプルコンポーネントを示す。特に、図６は、ＭＩＭＯシステム１５００のワイヤレス機器１５１０（たとえば、アクセスポイント）およびワイヤレス機器１５５０（たとえば、アクセス端末）を示す。アクセスポイント１５１０で、ある程度の数のデータストリームのためのトラフィックデータは、データ源１５１２から送信（ＴＸ）データプロセッサ１５１４へ供給される。
【００４５】
いくつかの態様では、各データストリームはそれぞれの送信アンテナを介して送信される。ＴＸデータプロセッサ１５１４は、符号化されたデータを提供するためにこのデータストリームのため選択された特殊な符号化スキームに基づいて各データストリームのトラフィックデータをフォーマットし、符号化し、インターリーブ化する。
【００４６】
各データストリームのための符号化されたデータは、直交周波数分割多重（ＯＦＤＭ）技術を使用してパイロットデータと多重化されることがある。パイロットデータは、典型的に、既知の方法で処理される既知データパターンであり、チャネル応答を推定するためレシーバシステムで使用されることがある。各データストリームの多重化されたパイロットデータおよび符号化されたデータは、その後、変調シンボルを提供するため、このデータストリームのため選択された特殊な変調スキームに基づいて変調（すなわち、シンボルマッピング）される。限定されることのない実施例として、いくつかの適当な変調スキームは、２相位相変調（ＢＰＳＫ）、４相位相変調（ＱＰＳＫ）、多相位相変調（Ｍ−ＰＳＫ）、および多値直交振幅変調（Ｍ−ＱＡＭ）である。
【００４７】
各データストリームのデータレート、符号化、および変調は、プロセッサ１５３０によって実行される命令によって判定されることがある。データメモリ１５３２は、プログラムコード、データ、および、プロセッサ１５３０またはアクセスポイント１５１０の他のコンポーネントによって使用される他の情報を格納することがある。
【００４８】
すべてのデータストリームのための変調シンボルは、その後に、ＴＸ  ＭＩＭＯプロセッサ１５２０へ供給され、（たとえば、ＯＦＤＭのための）変調シンボルをさらに処理することがある。ＴＸ  ＭＩＭＯプロセッサ１５２０は、その後に、ＮＴ変調シンボルストリームをＮＴトランシーバ（ＸＣＶＲ）１５２２（たとえば、１５２２Ａ〜１５２２Ｔ）へ供給する。いくつかの態様では、ＴＸ  ＭＩＭＯプロセッサ１５２０はビーム形成重みをデータストリームのシンボルとシンボルが送信されるアンテナとに適用する。
【００４９】
各トランシーバ１５２２は、１つ以上のアナログ信号を提供するため、それぞれのシンボルストリームを受信し処理し、ＭＩＭＯチャネルを介する送信のために適した変調された信号を提供するため、アナログ信号をさらに調整（たとえば、増幅、フィルタ処理、および、アップコンバート）する。トランシーバ１５２２Ａ〜１５２２ＴからのＮＴ変調された信号は、その後に、対応するＮＴアンテナ１５２４（たとえば、１５２４Ａ〜１５２４Ｔ）から送信される。
【００５０】
アクセス端末１５５０で、送信され変調された信号は、ＮＲアンテナ１５５２（たとえば、１５２２Ａ〜１５２２Ｒ）によって受信され、各アンテナ１５５２から受信された信号は、それぞれトランシーバ１５２４（たとえば１５５４Ａ〜１５５４Ｒ）へ供給される。各トランシーバ１５５４は、それぞれの受信された信号を調整（たとえば、フィルタ処理、増幅、および、ダウンコンバート）し、サンプルを提供するため調整された信号をデジタル化し、対応する「受信された」シンボルストリームを提供するため、サンプルをさらに処理する。
【００５１】
受信（ＲＸ）データプロセッサ１５６０は、その後に、ＮＴ「検出済み」シンボルストリームを提供するため、特殊なレシーバプロセッシング技術に基づいてＮＲトランシーバ１５５４からのＮＲ受信済みシンボルストリームを受信し処理する。ＲＸデータプロセッサ１５６０は、その後に、このデータストリームのためのトラフィックデータを復元するために各検出済みシンボルストリームを復調し、逆インターリーブ化し、復号化する。ＲＸデータプロセッサ１５６０による処理は、アクセスポイント１５１０でＴＸ  ＭＩＭＯプロセッサ１５２０およびＴＸデータプロセッサ１５１４によって実行される処理に対し補完的である。
【００５２】
プロセッサ１５７０は、使用されるべきプリコーディング行列を周期的に判定する（後に説明する）。プロセッサ１５７０は、行列インデックス部およびランク値部を備える逆方向リンクメッセージを編成する。データメモリ１５７２は、プログラムコード、データ、および、アクセス端末１５５０のプロセッサ１５７０または他のコンポーネントによって使用される他の情報を格納することがある。
【００５３】
逆方向リンクメッセージは、通信リンクおよび／または受信済みのデータストリームに関する様々なタイプの情報を備えることがある。逆方向リンクメッセージは、その後に、データ源１５３６からのある程度の数のデータストリームのためのトラフィックデータをさらに受信するＴＸデータプロセッサ１５３８によって処理され、変調器１５８０によって変調され、トランシーバ１５５４Ａ〜１５５４Ｒによって調整され、それぞれのアンテナ１５２２Ａ〜１５５２Ｒを介してアクセスポイント１５１０へ返送される。
【００５４】
アクセスポイント１５１０で、アクセス端末１５５０からの変調済みの信号はアンテナ１５２４によって受信され、トランシーバ１５２２によって調整され、復調器（ＤＥＭＯＤ）１５４０によって復調され、ＲＸデータプロセッサ１５４２によって処理され、アクセス端末１５５０によって送信された逆方向リンクメッセージを抽出する。プロセッサ１５３０は、その後に、ビーム形成重みを判定するため使用すべきプリコーディング行列を判定し、次に、抽出済みのメッセージを処理する。
【００５５】
図６は、通信コンポーネントが本明細書中に教示されているような送信電力制御オペレーションを実行する１つ以上のコンポーネントを含むことがあることをさらに示す。たとえば、符号制御コンポーネント１５９０は、アクセスポイント１５１０のプロセッサ１５３０および／または他のコンポーネントと協働することがあり、本明細書中に教示されているように別の機器（たとえば、アクセス端末１５５０）へ／から信号を送信／受信する。同様に、符号制御コンポーネント１５９２は、アクセス端末１５５０のプロセッサ１５７０および／または他のコンポーネントと協働することがあり、別の機器（たとえば、アクセスポイント１５１０）へ／から信号を送信／受信する。ワイヤレス機器１５１０および１５５０の１つずつに対し、２台以上の上記コンポーネントの機能が単一コンポーネントによって提供されることがあることが認められるべきである。たとえば、単一のプロセッシングコンポーネントは、符号制御コンポーネント１５９０およびプロセッサ１５３０の機能を提供することがあり、単一のプロセッシングコンポーネントは、符号制御コンポーネント１５９２およびプロセッサ１５７０の機能を提供することがある。
【００５６】
本明細書中で説明されているようなアクセス端末は、モバイル局、ユーザ設備、加入者ユニット、加入者局、リモート局、リモート端末、ユーザ端末、ユーザエージェント、または、ユーザ機器と称されることがある。いくつかの実施ではこのようなノードは、セルラー電話機、コードレス電話機、セッション・イニシエーション・プロトコル（ＳＩＰ）電話機、ワイヤレス・ローカル・ループ（ＷＬＬ）局、個人情報端末（ＰＤＡ）、ワイヤレス接続能力を有するハンドヘルド機器、もしくは、ワイヤレスモデムに接続された何らかの他の適当なプロセッシング機器で構成されるか、これらの内部で実施されるか、または、これらを含むことがある。
【００５７】
したがって、本明細書中に教示された１つ以上の態様は、様々なタイプの装置で構成され、様々なタイプの装置の内部で実施され、または、様々なタイプの装置を含むことがある。このような装置は、電話機（たとえば、セルラー電話機もしくはスマートフォン）、コンピュータ（たとえば、ラップトップ）、携帯通信機器、携帯コンピューティング機器（たとえば、個人情報端末）、娯楽機器（たとえば、音楽もしくは映像機器、または、衛星無線機）、グローバル測位システム、または、ワイヤレス媒体を介して通信するように構成されている何らかの他の適当な機器を備えることがある。
【００５８】
上述されているように、いくつかの態様では、ワイヤレスノードは、通信システムのためのアクセスノード（たとえば、アクセスポイント）を備えることがある。このようなアクセスノードは、たとえば、ワイヤードもしくはワイヤレス通信リンクを介して、ネットワーク（たとえば、インターネットもしくはセルラネットワークのような広域ネットワーク）のための、または、このネットワークへの接続を提供することがある。したがって、アクセスノードは、別のノード（たとえば、アクセス端末）がネットワークまたは何らかの他の機能にアクセスすることを可能にすることがある。さらに、一方または両方のノードが携帯型でもよく、または、一部の場合、相対的に非携帯型でもよいことが認められるべきである。さらに、ワイヤレスノード（たとえば、ワイヤレス機器）もまた、適切な通信インターフェイスを介して（たとえば、ワイヤード接続を介して）非ワイヤレス方式で情報を送信および／または受信する能力をもつことがあることが認められるべきである。
【００５９】
ワイヤレスノードは、適当なワイヤレス通信技術に基づくか、そうでなければ、適当なワイヤレス通信技術をサポートする１つ以上のワイヤレス通信リンクを介して通信することがある。たとえば、いくつかの態様では、ワイヤレスノードはネットワークと関連することがある。いくつかの態様では、ネットワークは、ローカル・エリア・ネットワークまたは広域ネットワークを含むことがある。ワイヤレス機器は、本明細書中に開示されているような多種多様のワイヤレス通信技術、プロトコル、または、標準規格（たとえば、ＣＤＭＡ、ＴＤＭＡ、ＯＦＤＭ、ＯＦＤＭＡ、ＷｉＭＡＸ、Ｗｉ−Ｆｉなど）のうちの１つ以上をサポートするか、または、そうでなければ使用することがある。同様に、ワイヤレスノードは、多種多様の対応する変調または多重化スキームのうちの１つ以上をサポートするか、または、そうでなければ使用することがある。ワイヤレスノードは、このように、適切なコンポーネント（たとえば、エアインターフェイス）を含むことがあり、上記もしくはその他のワイヤレス通信技術を使用して１つ以上のワイヤレス通信リンクを確立するか、または、このワイヤレス通信リンクを介して通信する。たとえば、ワイヤレスノードは、ワイヤレス媒体による通信を容易にする様々なコンポーネント（たとえば、信号ジェネレータおよび信号プロセッサ）を含むことがある関連付けられたトランスミッタコンポーネントおよびレシーバコンポーネントに関連付けられたワイヤレストランシーバを備えることがある。
【００６０】
一般に、セルラシステムは複数の搬送波（すなわち、搬送波周波数）で動作する。よって、システムは、ある程度の数の搬送波と共に配備されることがあり、搬送波は帯域幅要求が増加するのにつれて増加されることがある。すべてのフェムトセルのため利用できる搬送波が１つしかない場合、ある程度の量のフェムト間干渉が存在することになる。この問題に対する１つの解決策は、フェムトセルのため複数の搬送波動作を実施することである。たとえば、アパート建物の中の隣接するフェムトセルは、これらの干渉問題を緩和するために異なる周波数搬送波に割り当てられることが可能である。
【００６１】
よって、本発明の実施形態では、ＨＮＢは、２つ以上の搬送波で通信する能力を含むことがある。さらに、専門的な設置は、ＨＮＢの設置のため実際的でないことがよくある。その結果として、フェムトノードが複数の利用可能な搬送波を備えるシステムで使用する搬送波を自律的に選択できる能力をもつ必要性がある。
【００６２】
本発明の実施形態は、動作する搬送波周波数を自律的に選択する装置および方法を提供する。多重搬送波システムでは、システム運営者は、フェムトノードに専用の特定の搬送波、マクロノードに専用の特定の搬送波、および、フェムトノードとマクロノードとの間で共有されるべき特定の搬送波を定義することがある。いくつかのシステムはある特定の搬送波を専用にしないことがあり、すべての搬送波がフェムトノードとマクロノードとの間で共有されることがある。主として、フェムト搬送波の識別および選択プロセスはダウンリンク搬送波周波数と関係している。しかし、いくつかの実施形態では、選択プロセスはアップリンク搬送波周波数を含むことがある。アップリンク搬送波周波数は「アップリンク」変更子を用いて特定される。搬送波がアップリンク搬送波またはダウンリンク搬送波として指定されていない場合、この搬送波はダウンリンク搬送波であると見なされるべきである。
【００６３】
数学的定義として、運営者がＮ個の搬送波周波数Ｆ＝｛ｆ１，ｆ２，・・・，ｆＮ｝（アップリンクおよびダウンリンク上で）を有する場合、フェムトセルはこれらの周波数のある特定の部分集合（Ｆｆｅｍｔｏ）を使用可能であり、マクロセルはある特定の部分集合（Ｆｍａｃｒｏ）を使用可能である。以下の実施形態では、１≦Ｋ≦Ｎおよび１≦Ｍ≦Ｎであるとして、Ｆｆｅｍｔｏ＝｛ｆ１，ｆ２，・・・，ｆＫ｝およびＦｍａｃｒｏｃｅｌｌ＝｛ｆＭ，ｆＭ＋１，・・・，ｆＮ｝を仮定する。この表記は一般性を失うことなく説明をより簡単にする。よって、Ｋ＝１である場合、フェムトセルは１個の搬送波だけを使用可能であり、Ｋ＝Ｎである場合、フェムトセルはすべてのダウンリンク搬送波の集合の中のすべての搬送波を使用可能である。同様に、Ｍ＝１である場合、マクロセルはすべての利用可能な搬送波を使用可能であり、Ｍ＝Ｎである場合、マクロセルは１つの利用可能な搬送波（すなわち、搬送波Ｎ）だけを使用可能である。当然ながら、ＫおよびＭの何らかの定義を用いると、フェムトセルに専用の搬送波、マクロセルに専用の搬送波、および、共有されるべき専用の搬送波が存在することがある。
【００６４】
マクロセルがフェムトセルと同じ搬送波で動作する場合、フェムト・マクロ干渉は、フェムトＵＥおよびマクロＵＥの両方に対して、ある程度の量の機能停止および性能劣化を生じることがある。フェムト・マクロ干渉の１つの解決策は、フェムトセルによって使用される搬送波がマクロセルによって使用されないことを確実にすることである。この方法はフェムト・マクロ干渉を著しく低減するが、特に、初期配備の間にスペクトル利用の点で効率的でないことがある。同様に、運営者のため利用可能な搬送波の総数がこの判定のため考慮される必要がある。制限された搬送波（たとえば、エアインターフェイス技術毎に２または３の搬送波）をもつ殆どの運営者の場合、搬送波はフェムトセルとマクロセルとの間で共有されることが勧告される。このとき、マクロセルＵＥがフェムトセルのカバレッジホールに進入する場合、マクロセルＵＥは別の搬送波周波数への周波数間ハンドオフを実行可能である。一実施形態では、マクロセルレガシーＵＥは、システムパラメータが適切に選択された場合に動作すべき最良のマクロセル周波数を選択するように設計される。マクロセルＵＥのための周波数間ハンドオーバ事象の回数を最小限に抑えるため、フェムトセルは、ある特定の周波数を優先し、隣接するフェムトセル・ホームからの顕著な干渉が存在するホームだけで他の周波数を使用することがある。
【００６５】
図７は、本明細書中で教示されているように１つ以上の実施で使用されることがあるアクセスノード７００（本明細書中ではフェムトノード７００とも称される）の種々のコンポーネントを示す。いくつかの実施では，フェムトノード７００は図７に示されたコンポーネントの全部を組み込まないことがあり、他の実施では、フェムトノード７００が図７に示されたコンポーネントの大半または全部を利用することが認められるべきである。
【００６６】
簡単に言うと、フェムトノード７００は、他のノード（たとえば、アクセス端末）と通信するためのトランシーバ７１０を含む。トランシーバ７１０は、信号を送信するトランスミッタ７１２と、信号を受信するレシーバ７１４とを含む。
【００６７】
フェムトノード７００は、他の隣接するフェムトノード（図示せず）およびマクロノード５６０（図５）と同様にトランスミッタ７１２のための送信電力を判定するための送信電力コントローラ７４０も含むことがある。フェムトノード７００は、他のノードとの通信を管理し、本明細書中で教示されているような他の関連した機能を提供する通信コントローラ７８２を含む。フェムトノード７００は、他のノードへのアクセスを管理し、本明細書中で教示されているような他の関連した機能を提供する承認コントローラ７８４をさらに含むことがある。ノード検出器７８６は、特殊なタイプのノードが所定のカバレッジエリアの中にあるかどうかを判定することがある。
【００６８】
送信電力コントローラ７４０は、フェムトノード７００が所定のダウンリンク搬送波の集合に対してマクロセルまたは他の隣接するフェムトセルに引き起こすことがある干渉を監視し判定する干渉モニタ７４４を含むことがある。干渉は、総受信信号強度（ＲＳＳ）、受信パイロット強度、または、これらの組み合わせに基づくことがある。送信電力コントローラ７４０は、フェムトノード７００と関連付けられた信号対雑音比（ＳＮＲ）を判定する信号対雑音比判定器７４２をさらに含むことがある。
【００６９】
信号強度判定器７２０は、フェムトノード７００に利用可能なダウンリンク搬送波の集合の中で複数の搬送波のＲＳＳ値を判定することがある。受信パイロット強度判定器７３０は、各搬送波のパイロット信号と関連付けられた信号強度値を判定することがある。経路／結合損失判定器７６０は、より完全に後述される様々な方法でＨＵＥとマクロセルとの間の結合損失を判定することがある。
【００７０】
フェムト搬送波判定器７５０は、フェムトノード７００で利用できる搬送波信号を判定し、これらの搬送波のための優先順位を判定することがある。フェムト搬送波選択器７７０は、信号強度モニタ７２０、受信パイロット強度モニタ７３０、および、干渉モニタ７４４と協働して動作し、フェムトノード７００が動作すべき適切な搬送波を選択することがある。
【００７１】
メモリ７９０は、いくつかの機能的要素の動作と関連して役に立つ多数のパラメータを格納することがある。限定されることのない実施例として、メモリ７９０は、信号強度判定器７２０および受信パイロット強度判定器７３０によって判定されたパイロット強度と総強度との間の既知または推定された関係に対応するパイロット／総信号強度関係７３２を含むことがある。フェムト搬送波リスト７５２は、フェムトノード７００のため利用できる搬送波のリスト（ＤＬおよび対応するＵＬの両方）を含むことがある。フェムト搬送波優先順位７５４は、フェムトノード７００で利用できるダウンリンク搬送波の集合に対する優先度の順位を定義することがある。ＤＬマージンリスト７７２は、適切なＤＬ搬送波を選択する際に役立つマージンを含むことがあり、ＵＬマージンリスト７７４は適切なＵＬ搬送波を選択する際に役立つマージンを含むことがある。
【００７２】
図８は、フェムトノードのための搬送波を自律的に選択するプロセス８００の簡易フロー図である。図５、７および８は、自律搬送波選択プロセス８００を説明する際に参照されることがある。
【００７３】
動作ブロック８０２で、フェムト搬送波判定器７５０は、フェムトノードで利用できるダウンリンク搬送波の集合を判定し、この集合をメモリ７９０のフェムト搬送波リスト７５２に格納することがある。この集合は、フェムトノード７００が出荷されるとき予め定義されることがあり、または、フェムトノードは、（たとえば、ＤＳＬ構成中のバックホールを介して）広域ネットワーク５４０全域に亘るフェムト搬送波リスト７５２をダウンロードすることがある。さらに、必要に応じて、フェムト搬送波リスト７５２は広域ネットワーク５４０全域に亘って周期的に更新されることがある。
【００７４】
動作ブロック８０４で、フェムト搬送波判定器７５０は、フェムト搬送波リスト７５２に対する優先順位を判定し、フェムト搬送波優先順位７５４としてこの優先順位をメモリに格納することがある。フェムト搬送波リスト７５２の場合と同様に、フェムト搬送波優先順位７５４は、再定義され、広域ネットワーク５４０によりダウンロードされ、広域ネットワーク５４０により（たとえば、ＤＳＬ構成中のバックホールを介して）更新されることがある。この優先順位を用いて、搬送波は最上位優先搬送波から最下位優先搬送波までランク付けされることがある。よって、フェムトノード７００は最上位優先搬送波に集中されることがあり、最上位優先搬送波に非常に大量の干渉が存在する場合に限り、フェムトノード７００は次の最上位優先搬送波を選択することを試み、最下位優先搬送波まで以下同様である。このプロセスは、許容できない程の干渉がない最上位優先搬送波に多数のフェムトノードを集中させるので、フェムト搬送波は効率的に使用される。
【００７５】
動作ブロック８０６で、信号強度判定器７２０は、フェムト搬送波リスト７５２中の各搬送波周波数に対し、
Ｆｆｅｍｔｏ＝｛ｆ１，ｆ２，・・・，ｆＫ｝として、Ｉｏｆ＿１，Ｉｏｆ＿２，・・・，Ｉｏｆ＿Ｋ（ｄＢｍ単位）
を含むＲＳＳ測定量（Ｉｏ）を測定する。
【００７６】
動作ブロック８０８で、干渉モニタ７４４は、
Ｉｏｍｉｎ＝ｍｉｎ［Ｉｏｆ＿１，Ｉｏｆ＿２，・・・，Ｉｏｆ＿Ｋ］
として最小干渉搬送波を見つける。
【００７７】
動作ブロック８１０は、フェムトノード７００がループインデックスを定義し、この初期値を１に設定し、搬送波選択済み変数を定義し、この初期値を「いいえ」に設定することを指定している。
【００７８】
判定ブロック８１２は、フェムト搬送波選択器７７０がＩｏｆ＿ｉｎｄｅｘ（すなわち、ループのこのインデックス値に対する現在の搬送波のＩｏｆ）を値ＲＳＳ＿ｍａｒｇｉｎｉｎｄｅｘによるオフセット付きのＩｏｍｉｎと比較することを指定している。あるいは、式：
Ｉｏｆ＿ｉｎｄｅｘ≦（Ｉｏｍｉｎ＋Ｆｅｍｔｏ＿Ｆｒｅｑｕｅｎｃｙ＿ＲＳＳ＿ｍａｒｇｉｎｉｎｄｅｘ）      式１
として記述される。
【００７９】
上記アルゴリズムにおけるパラメータＦｅｍｔｏ＿Ｆｒｅｑｕｅｎｃｙ＿ＲＳＳ＿ｍａｒｇｉｎｉｎｄｅｘ≧０ｄＢは、このマクロセルユーザのため作成されるカバレッジホールが最小限になるように、最小干渉搬送波を選択する要求とフェムトセルを優先搬送波に集中させる要求との間の矛盾を調整するため使用される所定のマージンである。
【００８０】
よって、Ｆｅｍｔｏ＿Ｆｒｅｑｕｅｎｃｙ＿ＲＳＳ＿ｍａｒｇｉｎが０ｄＢに接近するとき、式１が真であると評価するのは最小干渉搬送波だけであるため、フェムトセルは最低量の干渉をもつ搬送波を選択する。
【００８１】
逆に、Ｆｅｍｔｏ＿Ｆｒｅｑｕｅｎｃｙ＿ＲＳＳ＿ｍａｒｇｉｎが∞ｄＢに接近するとき、ループの中で評価される最初の搬送波（すなわち、ｆ１）は式１が真であると評価するので、フェムトセルは最上位優先搬送波（すなわち、ｆ１）を常に選択する。
【００８２】
いくつかの実施形態では、（添字「ｉｎｄｅｘ」によって示されているように）搬送波毎に異なるＲＳＳ＿ｍａｒｇｉｎが存在し、ＤＬマージンリスト７７２としてメモリ７９０に格納されることがある。他の実施形態では、単一のＲＳＳ＿ｍａｒｇｉｎがすべての搬送波周波数に対し定義されることがある。
【００８３】
判定ブロック８１２が偽と評価する場合、現在のインデックス値に対する搬送波は選択されず、制御は判定ブロック８２６へ移る。搬送波は選択されていないので、判定ブロック８２６は偽と評価し、動作ブロック８２８がインデックスをインクリメントし、ループが次の最上位優先搬送波で再び開始される。
【００８４】
判定ブロック８１２が真と評価する場合、いくつかの実施形態は、現在のダウンリンク搬送波と関連付けられたアップリンク搬送波の干渉を考慮するプロセスを含むことがある。他の実施形態はアップリンク搬送波の干渉を考慮しないことがある。アップリンク検討が（判定ブロック８１４によって指定されているように）評価されるべき場合、アップリンクプロセス８５０が実行されるであろう。アップリンクプロセス８５０は、図９の参照の下に説明される。アップリンクプロセス８５０がアップリンク搬送波は許容できないと指定する場合、制御は、搬送波が選択されていない状態で判定ブロック８２６へ移るので、ループが次のインデックスと、このインデックスと関連付けられた次の搬送波とに関して繰り返される。
【００８５】
アップリンク搬送波を考慮しない実施形態と、アップリンク搬送波を考慮し、このアップリンク搬送波が許容可能であることを見つける実施形態とに関して、動作ブロック８２２は、フェムト搬送波選択器７７０がダウンリンク搬送波として使用するために選択済み搬送波として現在の搬送波を選択したことを指定する。
【００８６】
動作ブロック８２４は、搬送波が選択されたことを指定する。搬送波が選択された状態で、判定ブロック８２６は真と評価し、搬送波選択プロセス８００が終了する。
【００８７】
当然ながら、当業者は、搬送波選択プロセスが周期的に、または、何らかの他の選択されたときに繰り返されることを認識する。繰り返されるとき、プロセスのうちの一部は繰り返されなくてもよいことがある。限定されることのない実施例として、新しいフェムト搬送波リスト７５２またはフェムト搬送波優先順位７５４を定義しなくてもよいことがある。さらに、３ＧＰＰ２配備に関連した実施形態では、上記方法は、１ｘＲＴＴ搬送波および１ｘＥＶ−ＤＯ搬送波と独立して適用されることがある。
【００８８】
搬送波選択プロセス８００の動作の限定されることのない実施例として、運営者が全部で８つの搬送波を有し、４つの搬送波がフェムトノードで利用できるダウンリンク搬送波の集合に包含するため選択されたと仮定する。次に、これらの４つの搬送波の優先順位が搬送波２、搬送波１、搬送波３および搬送波４であると仮定する。プロセスは、搬送波の１つずつのＲＳＳを測定し、搬送波３が−８０ｄＢｍである最小Ｉｏを有すると判定する。さらに、単一のＲＳＳ＿ｍａｒｇｉｎが１５ｄＢｍですべての搬送波に対して定義されていると仮定する。
【００８９】
ループによる１回目で、搬送波２は−７０ｄＢｍのＩｏを有するので、式１は偽と評価する。ループによる次の回で、搬送波１は−６０ｄＢｍのＩｏを有するので、式１は真と評価し、搬送波１は選択された搬送波である。
【００９０】
よって、搬送波２が最も優先されるとしても、搬送波２には非常に多くの干渉があるので、搬送波２は選択されなかった。さらに、搬送波３が最低干渉を有するとしても、搬送波１は搬送波３より優先されるので、搬送波３は選択されなかった。
【００９１】
他の限定されることのない実施例として、上述の通り、フェムトセルおよびマクロセルのため利用可能な周波数の集合は、１≦Ｋ≦Ｎおよび１≦Ｍ≦Ｎであるとして、それぞれ、Ｆｆｅｍｔｏ＝｛ｆ１，ｆ２，・・・，ｆＫ｝およびＦｍａｃｒｏｃｅｌｌ＝｛ｆＭ，ｆＭ＋１，・・・，ｆＮ｝である。別の選択は、フェムトセルおよびマクロセルのための利用可能な周波数の数を定義するパラメータＫおよびＭの値である。これらの実施例では、Ｎ＝１、２および３の簡単な配備の場合と、これらのパラメータのための優先される選択とに焦点が当てられる。
【００９２】
Ｎ＝１を仮定すると、運営者は、単一の搬送数｛ｆ１｝を利用可能である。この場合、Ｋ＝Ｍ＝１であり、すべてのフェムトセルおよびマクロセルが同じ搬送波を使用する。したがって、プロセス８００を実行する必要がない。
【００９３】
Ｎ＝２を仮定すると、運営者は、２つの搬送波：｛ｆ１，ｆ２｝を利用可能である。この場合、Ｋ＝２かつＭ＝１を仮定する。よって、フェムトセルは、ｆ１およびｆ２を使用可能であり、マクロセルはｆ１、ｆ２を使用可能である。その結果、フェムト間干渉は最小限に抑えられることがある。Ｆｅｍｔｏ＿Ｆｒｅｑｕｅｎｃｙ＿ＲＳＳ＿ｍａｒｇｉｎの適切な選択によって、殆どのフェムトセルは強制的に搬送波ｆ１を使用させられるので、アクティブ状態の呼における高移動度マクロセルＵＥは、殆どｆ２を使用し、フェムトセルによる頻繁なカバレッジホールに遭遇することはないかもしれない。
【００９４】
Ｎ＝３を仮定すると、運営者は３つの搬送波：｛ｆ１，ｆ２，ｆ３｝を利用可能である。この場合、Ｋ＝２かつＭ＝１を仮定する。よって、マクロセルが｛ｆ１，ｆ２，ｆ３｝を使用する間、フェムトセルは｛ｆ１，ｆ２｝を使用する。その結果、フェムト間干渉は最小限に抑えられることがある。さらに、この選択はｆ３をマクロセルのため予約した搬送波として確保するので、高移動度マクロセルＵＥは、結局、ｆ３を使用することになり、フェムトセルによる頻繁なカバレッジホールに遭遇することはない。よって、パラメータＦｅｍｔｏ＿Ｆｒｅｑｕｅｎｃｙ＿ＲＳＳ＿ｍａｒｇｉｎはＮ＝２の場合より小さくすることが可能であり、より優れたフェムト間干渉管理を可能にさせる。
【００９５】
図９は、ダウンリンク搬送波と関連付けられたアップリンク搬送波の特性を評価するプロセス８５０の簡易フロー図である。いくつかの実施形態では、プロセス８００（図８）で評価されている現在のダウンリンク搬送波と関連付けられたアップリンク搬送波も同様に評価されることがある。図５、７、８および９はプロセス８５０を説明する際に参照されることがある。
【００９６】
動作ブロック８５２は、信号強度判定器７２０が現在評価されているダウンリンク搬送波と関連付けられたアップリンク搬送波の信号特性を判定する。この信号強度判定器は、アップリンク搬送波特性を判定するため、経路／結合損失判定器７６０、受信パイロット強度判定器７３０、および、干渉モニタ７４４と協働して動作することがある。
【００９７】
限定されることのない実施例として、フェムトノードから隣接するフェムトノードまで、または、近くにあるマクロノードまでの経路損失を判定することにより、フェムトノードは、このフェムトノードが隣接するフェムトノードへの干渉を引き起こしているかどうかを判定可能である。代替的に、アップリンク周波数のＲＳＳを決定することにより、フェムトノードは、現在のフェムトノード上で隣接するフェムトノードからの干渉が存在するかどうかを判定可能である。
【００９８】
判定ブロック８５４は、干渉モニタが現在のアップリンク搬送波に対し、フェムトノードが隣接するフェムトノードへの干渉を引き起こしているかどうかを判定することを指定している。干渉を引き起こしている場合、制御は判定ブロック８５８へ移る。干渉を引き起こしていない場合、制御は判定ブロック８５６へ移る。
【００９９】
判定ブロック８５６は、干渉モニタが現在のアップリンク搬送波に対し、現在のフェムトノード上で隣接するフェムトノードからの干渉が存在するかどうかを判定することを指定している。干渉が存在する場合、制御は判定ブロック８５８へ移る。干渉が存在しない場合、制御は動作ブロック８６２へ移る。
【０１００】
動作ブロック８６２で、アップリンク搬送波は許容可能であるとして特定され、処理が終了する。
【０１０１】
判定ブロック８５８で、現在のアップリンク搬送波の干渉がアップリンク閾値（本明細書中でアップリンクマージンと称されることもある）と比較される。干渉がアップリンクマージンより大きい場合、動作ブロック８６０は、アップリンク搬送波が許容不能であるとして特定されたことを指定し、プロセスが終了する。干渉がアップリンクマージン以下または同等である場合、動作ブロック８６２は、アップリンク搬送波が許容可能であるとして特定されたことを指定し、プロセスが終了する。
【０１０２】
ダウンリンクマージンと同様に、アップリンクマージンは単一の値でもよく、または、各値がアップリンク搬送波周波数に対応している値の集合であり、ＵＬマージンリスト７７４としてメモリ７９０に格納されてもよい。
【０１０３】
本明細書中で説明されているコンポーネントは多種多様の方法で実施されることがある。図１０を参照すると、装置１０００は一連の相互に関連するブロックとして表されている。いくつかの態様では、これらのブロックの機能は、１つ以上のプロセッサコンポーネントを含むプロセッシングシステムとして実施されることがある。いくつかの態様では、これらのブロックの機能は、たとえば、１つ以上の集積回路（たとえば、ＡＳＩＣ）の少なくとも一部分を使用して実施されることがある。本明細書中に記載されているように、集積回路は、プロセッサ、ソフトウェア、他の関連したコンポーネント、または、これらの何らかの組み合わせを含むことがある。これらのブロックの機能は同様に本明細書中で教示されているような何らかの他の方法で実施されることがある。
【０１０４】
装置１０００は、様々な図面に関連して上述された機能のうちの１つ以上を実行することがある１つ以上のモジュールを含むことがある。たとえば、優先順位判定手段１００２は、たとえば、本明細書中に記載されているようなフェムト搬送波判定器に対応することがある。受信信号強度測定手段１００４は、たとえば、本明細書中に記載されているような信号強度判定器に対応することがある。最小干渉搬送波判定手段１００６は、たとえば、本明細書中に記載されているようなフェムト搬送波選択器に対応することがある。選択済み搬送波定義手段１００８は、たとえば、本明細書中に記載されているようなフェムト搬送波選択器に対応することがある。干渉特性判定手段１０１０は、たとえば、本明細書中に記載されているような信号強度判定器に対応することがある。
【０１０５】
「第１」、「第２」などのような指示を使用する本明細書中での要素への参照は、一般にこれらの要素の量または順序を限定しないことが理解されるべきである。それどころか、これらの指示は、２つ以上の要素または要素の事例を区別する便利な方法として本明細書中で使用されることがある。よって、第１の要素および第２の要素への参照は、２つの要素だけがここで利用されていること、または、第１の要素が何らかの意味で第２の要素より先行しなければならないことを意味しない。同様に、特に断らない限り、要素の集合は１つ以上の要素を備えることがある。
【０１０６】
当業者は、情報および信号が多種多様な技術および技法のいずれかを使用して表現されることを理解するであろう。たとえば、以上の説明を通じて参照されることがあるデータ、命令、コマンド、情報、信号、ビット、シンボルおよびチップは、電圧、電流、電磁波、磁場もしくは磁性粒子、光場もしくは粒子、または、これらのいずれかの組み合わせによって表現されることがある。
【０１０７】
当業者は、本明細書中に開示された実施形態と関連して説明された様々な実例となる論理ブロック、モジュール、回路、および、アルゴリズムステップが電子ハードウェア、コンピュータソフトウェア、または、両方の組み合わせとして実施されることがあることをさらに認めるであろう。このハードウェアとソフトウェアとの互換性を明瞭に説明するため、種々の実例となるコンポーネント、ブロック、モジュール、回路、および、ステップが一般的にこれらの機能の観点で上述されている。このような機能がハードウェアとして実施されるか、または、ソフトウェアとして実施されるかは、特殊な用途およびシステム全体に課される設計上の制約に依存する。当業者は記載された機能を特殊な用途毎に様々な方法で実施することがあるが、このような実施の決定は、発明の例示的な実施形態の範囲からの逸脱をもたらすものとして解釈されるべきでない。
【０１０８】
本明細書中に開示された実施形態と関連して説明された様々な実証となる論理ブロック、モジュール、および、回路は、本明細書中で説明された機能を実行するため設計された汎用プロセッサ、デジタル信号プロセッサ（ＤＳＰ）、特定用途向け集積回路（ＡＳＩＣ）、フィールド・プログラマブル・ゲート・アレイ（ＦＰＧＡ）もしくは他のプログラマブル論理機器、ディスクリートゲートもしくはトランジスタ論理、ディスクリート・ハードウェア・コンポーネント、または、これらのいずれかの組み合わせと共に実施または実行されることがある。汎用プロセッサはマイクロプロセッサでもよいが、代案では、プロセッサは、どのような従来型のプロセッサ、コントローラ、マイクロコントローラまたは、ステートマシーンでもよい。プロセッサは、たとえば、ＤＳＰとマイクロプロセッサの組み合わせ、複数のマイクロプロセッサ、ＤＳＰコアと連動した１個以上のマイクロプロセッサ、または、いずれかの他のこのような構成のようなコンピューティング機器の組み合わせとして実施されることもある。
【０１０９】
本明細書に開示された実施形態と関連して説明された方法またはアルゴリズムのステップは、ハードウェアで直接的に、プロセッサによって実行されるソフトウェアモジュールで、または、両者の組み合わせで具現化されることがある。ソフトウェアモジュールは、ランダム・アクセス・メモリ（ＲＡＭ）、フラッシュメモリ、リード・オンリ・メモリ（ＲＯＭ）、電気的プログラマブルＲＯＭ（ＥＰＲＯＭ）、電気的消去可能プログラマブルＲＯＭ（ＥＥＰＲＯＭ）、レジスタ、ハードディスク、着脱式ディスク、ＣＤ−ＲＯＭ、または、当分野で知られている他の形式の記憶媒体の中に存在することがある。例示的な記憶媒体は、プロセッサが記憶媒体から情報を読み出し、記憶媒体に情報を書き込むことができるように、プロセッサに連結されている。代案では、記憶媒体はプロセッサに一体化されてもよい。プロセッサおよび記憶媒体はＡＳＩＣの中に存在することがある。ＡＳＩＣはユーザ端末の中に存在することがある。代案として、プロセッサおよび記憶装置はユーザ端末の中に離散的コンポーネントとして存在することがある。
【０１１０】
１つ以上の例示的な実施形態では、説明されている機能は、ハードウェア、ソフトウェア、ファームウェア、または、これらのいずれかの組み合わせで実施されることがある。ソフトウェアで実施される場合、機能は、コンピュータ読み取り可能な媒体に１つ以上の命令またはコードとして格納されるか、または、伝送されることがある。コンピュータ読み取り可能な媒体は、ある場所から別の場所へのコンピュータプログラムの移転を容易にするあらゆる媒体を含むコンピュータ記憶媒体および通信媒体の両方を含む。記憶媒体はコンピュータによるアクセスが可能であるどのような利用可能な媒体でもよい。一例として、限定されることなく、このようなコンピュータ読み取り可能な媒体は、ＲＡＭ、ＲＯＭ、ＥＥＰＲＯＭ、ＣＤ−ＲＯＭもしくは他の光ディスク記憶装置、磁気ディスク記憶装置もしくは他の磁気記憶装置、または、命令もしくはデータ構造の形式で望ましいプログラムコードを搬送もしくは格納するため使用可能であり、そして、コンピュータによってアクセス可能であるあらゆる他の媒体を含むことができる。さらに、どのような接続でも当然にコンピュータ読み取り可能な媒体と称される。たとえば、ソフトウェアが同軸ケーブル、光ファイバケーブル、ツイステッドペア、デジタル加入者線（ＤＳＬ）、または、赤外線、無線およびマイクロ波のようなワイヤレス技術を使用して、ウェブサイト、サーバ、または、他のリモート源から送信される場合、同軸ケーブル、光ファイバケーブル、ツイステッドペア、ＤＳＬ、または、赤外線、無線およびマイクロ波のようなワイヤレス技術は、媒体の定義に包含される。本明細書中で使用されているように、ディスク（ｄｉｓｋおよびｄｉｓｃ）は、コンパクトディスク（ＣＤ）、レーザディスク、光ディスク、デジタル多用途ディスク（ＤＶＤ）、フロッピー（登録商標）ディスク、および、ブルーレイディスクを含み、ここで、ディスク（ｄｉｓｋ）は大抵磁気的にデータを再生するが、ディスク（ｄｉｓｃ）はレーザを用いて光学的にデータを再生する。上記の組み合わせもまたコンピュータ読み取り可能な媒体の範囲内に包含されるべきである。
【０１１１】
開示された例示的な実施形態についての以上の説明は、当業者が本発明を構成または使用することを可能にさせるため設けられている。これらの例示的な実施形態への様々な変更は当業者に直ちに明白であり、本明細書中に規定された一般的な原理は、発明の趣旨または範囲から逸脱することなく、他の実施形態に適用されることがある。したがって、本発明は、本明細書中に示された実施形態に限定されることが意図されず、本明細書中に開示された原理および新規性のある特徴と整合した最も広い範囲であることが認められるべきである。
【図１】
2011523271.tif 000003
【図２】
2011523271.tif 000004
【図３】
2011523271.tif 000005
【図４】
2011523271.tif 000006
【図５】
2011523271.tif 000007
【図６】
2011523271.tif 000008
【図７】
2011523271.tif 000009
【図８】
2011523271.tif 000010
【図９】
2011523271.tif 000011
【図１０】
2011523271.tif 000012
【手続補正書】
【提出日】平成23年3月8日(2011.3.8)
【手続補正１】
【補正対象書類名】特許請求の範囲
【補正対象項目名】請求項１７
【補正方法】変更
【補正の内容】
【請求項１７】
前記フェムトノードのための前記選択済み搬送波を定義することは、
前記ダウンリンク搬送波の集合のうちの現在搬送波についての前記受信信号強度を所定のマージンによってオフセットされた前記最小干渉搬送波の前記受信信号強度と比較することと、
前記現在搬送波の前記受信信号強度が所定のマージンによってオフセットされた前記最小干渉搬送波の前記受信信号強度と同等又はそれ以下である場合、前記現在搬送波を選択することと、
前記現在搬送波の前記受信信号強度が所定のマージンによってオフセットされた前記最小干渉搬送波の前記受信信号強度より大きい場合、前記ダウンリンク搬送波の集合のうちの次の搬送波に対し前記比較することおよび前記選択することを繰り返すことと、
をさらに備える、請求項１６に記載のフェムトノード。
【手続補正２】
【補正対象書類名】明細書
【補正対象項目名】００２２
【補正方法】変更
【補正の内容】
【００２２】
図２は、様々な開示された実施形態および態様が実施されることがある、ある程度の数のユーザをサポートするため構成されたワイヤレス通信システム１００の別の表現を示している。一例として、図２に示されているように、ワイヤレス通信システム１００は、たとえば、各セルが（ＡＰ  １０４Ａ〜１０４Ｇのような）対応するアクセスポイント（ＡＰ）１０４によるサービスを受けているマクロセル１０２Ａ〜１０２Ｇのような複数のセル１２０のための通信を提供する。各セルは１つ以上のセクタにさらに分割されることがある。代わりにユーザ設備（ＵＥ）と称されることもある様々なアクセス端末（ＡＴ）１０２（たとえば、ＡＴ  １０２Ａ〜１０２Ｋ）は、システム全体に分散している。各ＡＴ  １０２は、たとえば、ＡＴがアクティブ状態であるかどうか、および、ソフトハンドオフ状態にあるかどうかに依存して、所定の時点に順方向リンク（ＦＬ）および／または逆方向リンク（ＲＬ）上で１台以上のＡＰ  １０４と通信することがある。ワイヤレス通信システム１００は、広い地理的領域にサービスを提供することがあり、たとえば、マクロセル１０２Ａ〜１０２Ｇは近傍にある数ブロックを対象にすることがある。
【手続補正３】
【補正対象書類名】明細書
【補正対象項目名】００５０
【補正方法】変更
【補正の内容】
【００５０】
アクセス端末１５５０で、送信され変調された信号は、ＮＲアンテナ１５５２（たとえば、１５２２Ａ〜１５２２Ｒ）によって受信され、各アンテナ１５５２から受信された信号は、それぞれトランシーバ１５５４（たとえば１５５４Ａ〜１５５４Ｒ）へ供給される。各トランシーバ１５５４は、それぞれの受信された信号を調整（たとえば、フィルタ処理、増幅、および、ダウンコンバート）し、サンプルを提供するため調整された信号をデジタル化し、対応する「受信された」シンボルストリームを提供するため、サンプルをさらに処理する。
【手続補正４】
【補正対象書類名】明細書
【補正対象項目名】００５３
【補正方法】変更
【補正の内容】
【００５３】
逆方向リンクメッセージは、通信リンクおよび／または受信済みのデータストリームに関する様々なタイプの情報を備えることがある。逆方向リンクメッセージは、その後に、データ源１５３６からのある程度の数のデータストリームのためのトラフィックデータをさらに受信するＴＸデータプロセッサ１５３８によって処理され、変調器１５８０によって変調され、トランシーバ１５５４Ａ〜１５５４Ｒによって調整され、それぞれのアンテナ１５５２Ａ〜１５５２Ｒを介してアクセスポイント１５１０へ返送される。
【国際調査報告】
2011523271.tif 000013
2011523271.tif 000014
2011523271.tif 000015